(57)【要約】      （修正有）【課題】薬やサプリメント剤等を摂取したこと、摂取した時間、摂取回数を確認できる目盛り器具を提供する。【解決手段】回数や時間などの数字や文字を表示した表示部２，６，９と回転式目盛り部５または移動式目盛り部８と目盛り部を移動させるためのスライド機構部３から成る目盛り器具を薬や、サプリメント剤の容器に取り付ける。【選択図】図１
2005082240.tif 000002
【特許請求の範囲】
【請求項１】
移動式又は回転式目盛り部と、移動式又は回転式目盛り部をスライド又は回転させるための機構部と、回数や時間等の数字や文字を表示させるための表示部と、移動式又は回転式目盛り部を表示部の文字や数字を示す位置で維持するための機構部からなる目盛り器具で、定期的に、摂取、又は使用する物の、摂取時間、又は使用時間、摂取回数、又は使用回数の確認を、現在、又は次回の表示部の文字や数字に移動式目盛りを移動や回転をさせ、その表示部を示した状態で維持させることにより、実現することを特徴とする器具。
【請求項２】
移動式又は回転式目盛り部と、移動式又は回転式目盛り部をスライド又は回転させるための機構部と、移動式又は回転式目盛り部を表示部の文字や数字を示す位置で維持するための機構部と、回数や時間等の数字や文字を表示させるための表示部からなる目盛り器具で、薬、サプリメント剤等の飲み忘れを防止したり、摂取時間、摂取回数の確認を、現在、又は次回の表示部の文字や数字に移動式目盛りを移動や回転をさせ、その表示部を示した状態で維持させることにより、実現することを特徴とする器具。
【請求項３】
移動式又は回転式目盛り部と、移動式又は回転式目盛り部をスライド又は回転させるための機構部と、移動式又は回転式目盛り部を表示部の文字や数字を示す位置で維持するための機構部と、回数や時間等の数字や文字を表示させるための表示部からなる目盛り器具で、化粧品等の使い忘れを防止したり、使用期間、使用回数の確認を現在、又は次回の表示部の文字や数字に移動式目盛りを移動や回転をさせ、その表示部を示した状態で維持させることにより、実現することを特徴とする器具。
【請求項４】
前記器具は、移動式目盛り部を移動させることにより、その移動式目盛り部で、表示部の現在、又は次回の文字や数字を示し、その表示部を示した状態で維持させることにより、薬、サプリメント剤等の飲み忘れを防止したり、摂取時間、摂取回数の確認をすることを特徴とする器具。
【請求項５】
前記器具は、回転式目盛り部を回転させることにより、その回転式目盛り部で、表示部の現在、又は次回の文字や数字を示し、その表示部を示した状態で維持させることにより、薬、サプリメント剤等の飲み忘れを防止したり、摂取時間、摂取回数の確認をすることを特徴とする器具。
【発明の詳細な説明】
【技術分野】
【０００１】  この発明は、薬、サプリメント等の錠剤等の摂取の管理に関する。
【背景技術】目盛り器は見たことがありませんが、従来の薬やサプリメント等の保管容器の形状は図５に示すようにケース１４に仕切り１５が設けられたもの、又は、ケース１６に引き出し１７が設けられたものである。【０００２】
【発明の開示】
【発明が解決しようとする課題】
【０００３】  しかしながら以上の技術によれば、薬やサプリメント剤等の、摂取時間、摂取回数の確認をしたり、又、飲み忘れを防止するためには、あらかじめわけておいたり、数えたり、書いておいたりという方法しかなかった。【０００４】  そこでこの発明は、薬やサプリメント剤等を摂取したこと、摂取した時間、摂取回数を、確認できる目盛り器具を提供することを課題とする。
【課題を解決するための手段】
【０００５】  以上の課題を解決するために第一発明は、移動式又は回転式目盛り部と、移動式又は回転式目盛り部をスライド又は回転させるための機構部と、回数や時間等の数字や文字を表示させるための表示部と、移動式又は回転式目盛り部を表示部の文字や数字を示す位置で維持するための機構部からなる目盛り器具で、定期的に、摂取、又は使用する物の、摂取時間、又は使用時間、摂取回数、又は使用回数の確認を、現在、又は次回の表示部の文字や数字に移動式目盛りを移動や回転をさせ、その表示部を示した状態で維持させることにより、実現することを特徴とする器具。【０００６】  又、第二発明は、移動式又は回転式目盛り部と、移動式又は回転式目盛り部をスライド又は回転させるための機構部と、移動式又は回転式目盛り部を表示部の文字や数字を示す位置で維持するための機構部と、回数や時間等の数字や文字を表示させるための表示部からなる目盛り器具で、薬、サプリメント剤等の飲み忘れを防止したり、摂取時間、摂取回数の確認を、現在、又は次回の表示部の文字や数字に移動式目盛りを移動や回転をさせ、その表示部を示した状態で維持させることにより、実現することを特徴とする器具。【０００７】  又、第三発明は、移動式又は回転式目盛り部と、移動式又は回転式目盛り部をスライド又は回転させるための機構部と、移動式又は回転式目盛り部を表示部の文字や数字を示す位置で維持するための機構部と、回数や時間等の数字や文字を表示させるための表示部からなる目盛り器具で、化粧品等の使い忘れを防止したり、使用期間、使用回数の確認を現在、又は次回の表示部の文字や数字に移動式目盛りを移動や回転をさせ、その表示部を示した状態で維持させることにより、実現することを特徴とする器具。【０００８】  又、第四発明は、移動式目盛り部と、移動式目盛り部をスライドさせるための機構部と、移動式目盛り部を表示部の文字や数字を示す位置で維持するための機構部と、回数や時間等の数字や文字を表示させるための表示部からなる目盛り器具で、移動式目盛り部を移動させることにより、その移動式目盛り部で、表示部の現在、又は次回の文字や数字を示し、その表示部を示した状態で維持させることにより、薬、サプリメント剤等の飲み忘れを防止したり、摂取時間、摂取回数の確認をすることを特徴とする器具。【０００９】    又、第五発明は、回転式目盛り部と、回転式目盛り部をスライドさせるための機構部と、回転式目盛り部を表示部の文字や数字を示す位置で維持するための機構部と、回数や時間等の数字や文字を表示させるための表示部からなる目盛り器具で、回転式目盛り部を回転させることにより、その回転式目盛り部で、表示部の現在、又は次回の文字や数字を示し、その表示部を示した状態で維持させることにより、薬、サプリメント剤等の飲み忘れを防止したり、摂取時間、摂取回数の確認をすることを特徴とする器具。
【発明の効果】
【００１０】  第一発明、又は第二発明、又は第三発明、又は第四発明、又は第五発明によれば、薬やサプリメント剤等、又は化粧品等の容器等に取り付けるか、又は、もともと設けることにより、サプリメント剤等定期的に摂取するもの、又は化粧品等の定期的に使用するもの、飲み忘れ、又は使い忘れを防止したり、摂取時間、摂取回数、又は使い忘れ、使用期間、使用回数の確認を、わけておいたり、数えたり、書いておいたりしなくても、容易にできる。
【発明を実施するための最良の形態】
【００１１】  この発明の実施形態を図１に示す。（Ａ）と（Ｄ）の移動式目盛り部１は、移動式目盛り部をスライドさせるためのスライド機構部３により、移動させることができる。（Ｂ）の回転式目盛り部５は、回転式目盛り部５を回転させるための回転機構部７により回転させることができる。（Ｃ）の移動式目盛り部８は、移動式目盛り部８を移動させるための回転機構部７により移動させることができる。【００１２】  図２は、移動式目盛り部１、又は移動式目盛り部８、又は回転式目盛り部５を、スライド機構部３、又は回転機構部７に取り付けてる構造を表す断面図である。（Ｅ）と（Ｆ）と（Ｇ）の移動式目盛り部１、又は移動式目盛り部８、又は回転式目盛り部５は、回転機構とスライド機構のかみ合わせ部１０によりかみ合わされている。【００１３】  図３の（Ｈ）と（Ｉ）と（Ｊ）は、移動式目盛り部１、又は移動式目盛り部８、又は回転式目盛り部５の印となる部分４が、目的の表示部２、又は表示部６、又は表示部９の文字や数字を示す位置に移動又は回転した時、カチッと止まり、移動式目盛り部１、又は移動式目盛り部８、又は回転式目盛り部５の印となる部分４が、目的の表示部２、又は表示部６、又は表示部９の文字や数字を示した状態で維持されるための構造を表す断面図である。省略線１８により、同じ形状が続く部分を省略している。【００１４】図３に示すこの構造は、移動式目盛り部１、又は移動式目盛り部８、又は回転式目盛り部５の印となる部分４が目的の表示部２、又は表示部６、又は表示部９の数字や文字を示す位置に、移動又は回転したときに、移動式目盛り部１、又は移動式目盛り部８、又は回転式目盛り部５の、勝手な移動や回転がするのを防ぐために、移動式目盛り部１、又は移動式目盛り部８、又は回転式目盛り部５の印となる部分４が、目的の表示部２、又は表示部６、又は表示部９の文字や数字を示す位置に回転又は移動した時、文字や数字を示す位置ごとに、移動式目盛り部１、又は移動式目盛り部８、又は回転式目盛り部５の印となる部分４と同ラインに設けられた突起１１が、表示部２、又は表示部６、又は表示部９の数字や文字と同ラインにある窪み１２にカチッとはまることにより、移動式目盛り部１、又は移動式目盛り部、又は回転式目盛り部５の印となる部分４が表示部２、又は表示部６、又は表示部９の文字や数字を指した状態で維持される。【００１５】  図４は、この目盛り器具を、薬、サプリメント剤等のケース１３に取り付けた状態を表す図である。（Ｋ）は、この目盛り器具を、薬、サプリメント剤等のケース１３の前面に取り付けた状態を表す図である。（Ｌ）と（Ｍ）は、この目盛り器具を、薬、サプリメント剤等のケース１３の表面に取り付けた状態を表す図である。【００１６】この目盛り器具は、取付器具や、接着剤や、両面テープ等により、ケース等に取付けられる。又は、もともとケースに設ける。【００１７】「実施形態の効果」
この実施形態によれば、移動式目盛り又は回転式目盛りを移動や回転させて時間や回数を表示する位置を示すことにより、薬やサプリメント剤等の飲み忘れを防止したり、摂取時間、摂取回数の確認が容易にできる。又、化粧品等の使い忘れ、使用期間、使用回数の確認が容易にできる。又、定期的に使用するもの、服用するものなどの、期間、回数が確認できる。【００１８】「他の実施形態」
図１の実施形態では、全体のデザインは長方形、又は円形であって、移動式目盛り部又は回転式目盛り部のデザインは、矢印型、又は長方形状、又は円形であったが、全体の形と移動式目盛り部又は回転目盛り部の形状、デザインはいかなる形でも良い。【００１９】  又、図１の実施形態では、移動式又は回転式目盛り部と、移動式又は回転式目盛り部をスライド又は回転させるための機構部と、回数や時間等の数字や文字を表示させるための表示部と、移動式又は回転式目盛り部を表示部の文字や数字を示す位置で維持するための機構部からなる目盛り器具であったが、文字や数字の表示部か、又は別に、摂取するサプリメント剤等の名前を記載できる表示部を設けてもよい。
【図面の簡単な説明】
【００２０】
【図１】この発明の一実施形態を示す正面図である。
【図２】（Ｅ）は図１の（Ａ）と（Ｄ）の断面図である。（Ｆ）は図１の（Ｂ）の断面図である。（Ｇ）は図１の（Ｃ）の断面図である。
【００２１】
【図３】移動式又は回転式目盛り部を維持させるための機構部の拡大断面図である。
【図４】この発明を実際にサプリメント剤等のケースに取り付けた状態を示す図である。（Ｋ）と（Ｌ）は表面図である。（Ｍ）は平面図である。
【図５】従来の確認のためのケースの傾斜図である。
【符号の説明】
【００２２】  １  移動式目盛り          ２  表示部
３  スライド機構部        ４  印となる部分
５  回転式目盛り部        ６  表示部
７  回転機構部            ８  移動式目盛り部
９  表示部              １０  回転機構とスライド機構のかみ合わせ部
１１  突起                １２  窪み
１３  ケース              １４  ケース
１５  仕切り              １６  ケース
１７  引き出し            １８  省略線
【図１】
2005082240.tif 000003
【図２】
2005082240.tif 000004
【図３】
2005082240.tif 000005
【図４】
2005082240.tif 000006
【図５】
2005082240.tif 000007